(57)【要約】【課題】ペースト状物を収納する収納容器の底面が変形するのを防止して、無駄な残留分が無くなるようにするとともに、収納容器が傾くような不具合を防止する。【解決手段】塗料、接着剤、シーラ等のペースト状物を収納するドラム缶Ｗの底面下方に変形防止治具２０をセットすることでドラム缶Ｗの変形を防止するようにし、この変形防止治具２０として、ドラム缶Ｗの底面形状より僅かに小径の円板状の基板２１と、この基板２１より小径で且つ傾斜部ｔを介して中央部が盛り上がる円錐台形板２２を一体化して構成する。また、円錐台形板２２の中心部に、円孔ｈを形成する。【選択図】      図２
2004155429.tif 000002
【特許請求の範囲】
【請求項１】
収納容器内に収納されるペースト状物を加圧プレートで加圧しながら取出す際、収納容器の底面下方に位置決めされて収納容器の変形を防止するようにした変形防止治具であって、前記収納容器の底面形状より僅かに小径の円板状部材からなる基板と、この基板の中央部上面に一体化され、基板より小径で且つ傾斜部を介して中央部が盛り上がる円錐台形板を備え、この円錐台形板の中心部には、円孔が形成されることを特徴とするペースト状物収納容器の変形防止装置。
【請求項２】
前記円錐台形板の径や傾斜部の傾斜角度は、前記収納容器の周縁部付近の底面と前記基板とが接触しないような径や角度に設定されることを特徴とするペースト状物収納容器の変形防止装置。
【発明の詳細な説明】
【０００１】
【発明の属する技術分野】
本発明は、塗料、接着剤、シーラ等の粘性の高いペースト状物を収納する容器からペースト状物を取出す際、収納容器が変形するのを防止するための技術に関する。
【０００２】
【従来の技術】
従来、塗料や接着剤やシーラ等の高粘性物質は、通常メーカーからドラム缶に密閉された状態でラインサイドに搬入され、このドラム缶内の高粘性物質は、空気に触れると硬化するため、外気と遮断した状態で保持しつつ、必要な量を取出すことの出来る取出し・供給装置でドラム缶から取出すような技術が知られている。（例えば、特許文献１参照。）。
【０００３】
【特許文献１】
特開昭６３−１８５８８号
【０００４】
【発明が解決しようとする課題】
ところで、上記技術では、図６に示すように、ドラム缶Ｗ内に収納される高粘性物質Ｎの上面をフォロアープレート５２で押圧するとともに、フォロアープレート５２の中央部の軸５３から下方に延びるロッド５４を作動させて閉塞部材５５を開放し、不図示のポンプ装置を作動させて軸５３の中空部分を通して高粘性物質Ｎを吸い上げて外部に導出させるようにしており、この際、フォロアープレート５２の周端面に取り付けられるシールホース５６ａ、５６ｂにより高粘性物質Ｎと空気との接触を防止しつつ、高粘性物質Ｎがフォロアープレート５２上に漏れ出すような不具合を防止するようにしているが、ドラム缶Ｗの底面Ｗｔは高粘性物質Ｎの重量により下方に膨出するように変形し、外部に導出出来ないで残留する高粘性物質Ｎが多く、コスト高になるという問題があった。
【０００５】
一方、上記のような不具合を防止するため、図５に示すように、円板状の当板５７をドラム缶Ｗの底面Ｗｔの下方にセットしてドラム缶底面Ｗｔの変形防止を図ることが検討されたが、ドラム缶Ｗの側面下端縁部のフランジ部ｆに連なるドラム缶底面Ｗｔ周縁部ｇの強度が他の底面部の強度に較べて強いため、ドラム缶底面Ｗｔを均一な面にすることが出来ずに、ドラム缶Ｗが傾いた状態になり、この状態で高粘性物質Ｎを取出そうとすると、フォロアープレート５２のシールホース５６ａ、５６ｂが均一にドラム缶Ｗ内面に当接せず、高粘性物質Ｎがフォロアープレート５２上に洩れたり、ポンプ装置による吸引の際にシールホース５６ａ、５６ｂ部から侵入するエアが混入して高粘性物質Ｎが硬化する等の不具合があった。
【０００６】
そこで本発明は、ドラム缶底面Ｗｔが変形するのを防止して、無駄な残留分が無くなるようにするとともに、ドラム缶Ｗが傾くような不具合を防止することを目的とする。
【０００７】
【課題を解決するための手段】
上記目的を達成するため本発明は、収納容器内に収納されるペースト状物を加圧プレートで加圧しながら取出す際、収納容器の底面下方に位置決めされて収納容器の変形を防止するようにした変形防止治具において、収納容器の底面形状より僅かに小径の円板状部材からなる基板の中央部上面に、基板より小径で且つ傾斜部を介して中央部が盛り上がる円錐台形板を一体化し、この円錐台形板の中心部に、円孔を形成するようにした。
【０００８】
そして、このような治具の上部に収納容器を載置し、円錐台形板を容器底面の中央部に当接させることにより、特に下方への膨出量が大きい容器底面の中央部の変形を防止する。
ここで、収容容器内に収納されるペースト状物としては、例えば塗料や、接着剤や、シーラ等の高粘性物質であり、また収納容器としては、ドラム缶等が適用出来る。
【０００９】
また、円錐台形板の中央部は、収納容器を載置した際、容器底面の中央部に最初に当接する部位であり、この円錐台形板の中心部に円孔を設けることにより、容器底面への応力集中を防止してドラム缶の寿命を延ばすことが出来る。
また、内部のペースト状物を取出すための閉塞部材等は容器内の中央部に配設されるのが一般的であるため、円錐台形板の中心部に円孔を設けることにより、閉塞部材等が開閉動する際の障害とならない。
尚、基板と円錐台形板とは、一体物として構成するようにしても良い。
【００１０】
また、本発明では、前記円錐台形板の径や傾斜部の傾斜角度を、前記収納容器の周縁部付近の底面と前記基板とが接触しないような径や角度に設定するようにした。
【００１１】
このように、円錐台形板の径や傾斜部の傾斜角度を適切に設定することにより、収納容器の周縁部付近の強度の高い部位と、基板とを接触させないようにすれば、ドラム缶が傾くような不具合を確実に防止出来るようになる。
【００１２】
【発明の実施の形態】
本発明の実施の形態について添付した図面に基づき説明する。
ここで、図１は本発明の変形防止治具を適用した取出し・供給装置の正面図、図２は図１の要部拡大図、図３は変形防止治具の平面図、図４は同変形防止治具の側面図である。
【００１３】
本発明に係る変形防止治具は、例えば塗料や、接着剤やシーラ等の高粘性物質を収納するドラム缶等の収納容器の底面が変形するのを防止して、無駄な残留分を無くすとともに、収納容器が傾くような不具合を防止出来るようにされ、収納容器の下方に位置決めするようにしている。
そこで、本発明に係る変形防止治具を説明する前に、収納容器から高粘性物質を取出す取出し・供給装置の全体概要等について説明する。
【００１４】
取出し・供給装置１は、図１に示すように、ドラム缶Ｗから高粘性物質Ｎを取出すことが出来るようにされ、ドラム缶Ｗを挟むように立設される二本のシリンダ２と、各シリンダ２のシリンダロッド２ｒ上端に結合されるタイバー３を備えており、このタイバー３の中間部には、ポンプ装置４が支持されるとともに、このポンプ装置４から下方に軸５が延設され、また、ポンプ装置４を挟んでタイバー３から下方に向けて一対の連結バー６が延設されている。
【００１５】
そして、前記軸５の下端部には、加圧プレートとしてのフォロアープレート７が連結されており、このフォロアープレート７は、ドラム缶Ｗの内径よりも僅かに小径にされるとともに、円周端部がやや肉厚の立上り部７ｔとされ、この立上り部７ｔの外面壁部には上下二段に略半円の環状溝ｍ（図２）が形成され、各環状溝ｍにシールホース８ａ、８ｂが嵌着されている。
このシールホース８ａ、８ｂは、中空状の可撓性部材から形成され、その内部に加圧空気等の圧力媒体が封入されているものである。
【００１６】
また、フォロアープレート７の下面は、図２に示すように、中心部付近から外側部分に向けて斜めに下る傾斜面とされ、この傾斜面は、中心部付近の比較的傾斜が急な第１の傾斜面７ａと、その外側部分の傾斜が緩やかな第２の傾斜面７ｂから構成されており、この第２の傾斜面７ｂが前記立上り部７ｔに連接している。
尚、前記連結バー６の下端部は、フォロアープレート７の上面の当接している。
【００１７】
また、フォロアープレート７の中心部分を貫く軸５の下端部から下方に向けてロッド１１が延出しており、このロッド１１の先端に皿状の閉塞部材１２が取り付けられており、この閉塞部材１２はロッド１１の作動によって開閉自在にされている。
また、軸７の内部には、高粘性物質Ｎを流通させることの出来る流通路が形成され、この流通路は導出孔１３（図１）に連通している。
【００１８】
以上のような構成のもとに、シリンダ２を伸長させてタイバー３を上昇させた状態でドラム缶Ｗを所定の位置にセットし、ドラム缶Ｗの蓋を開けてシリンダ２を収縮させることにより、フォロアープレート７で高粘性物質Ｎを加圧する。また、同時にポンプ装置４を作動させると、高粘性物質Ｎはフォロアープレート７下面の第１の傾斜面７ａ及び第２の傾斜面７ｂに押されることと、ポンプ装置４の吸引力により、軸５の内部の流通路を通って導出孔１３から外部に導出される。
【００１９】
ところで、ドラム缶Ｗの下面は前述のように高粘性物質Ｎの重量により下方に膨出するよう変形するので、それを防止するため、ドラム缶Ｗの下方に、本発明に係る変形防止治具２０をセットしており、以下、この変形防止治具２０について説明する。
【００２０】
変形防止治具２０は、図２乃至図４に示すように、ドラム缶Ｗのフランジ部ｆの径より若干小径の円板状部材からなる基板２１と、この基板２１より小径で且つ中央部が所定角度の傾斜部ｔを介して盛り上がる円錐台形板２２を備えており、この円錐台形板２２の中央部には、円孔ｈが形成されている。
そして、前記基板２１の厚みは、ドラム缶Ｗのフランジ部ｆの高さより僅かに小さめにされ、また、円錐台形板２２の径や傾斜部ｔの角度を適切に設定することにより、ドラム缶底面Ｗｔの強度の強い周縁部ｇと基板２１とが接触しないようにしている。
【００２１】
因みに、本実施例では基板２１の径５６０ｍｍφに対し、円錐台形板２２の径を４３０ｍｍφ、円孔ｈの径を１５０ｍｍφ、基板２１の厚みを２０ｍｍ、円錐台形板２２の最大部分の厚みを１５ｍｍ程度にしている。
【００２２】
以上のような変形防止治具２０をドラム缶Ｗの底面Ｗｔ下方にセットしておくことにより、ドラム缶底面Ｗｔの変形が防止されて高粘性物質Ｎの未使用残留分を少なくできるとともに、底面Ｗｔの強度の強い周縁部ｇが基板２１に当接することなく、ドラム缶Ｗが傾くような不具合がない。このため、ドラム缶Ｗ内面とシールホース８ａ、８ｂの密接状態が不良となって、高粘着性物質Ｎがフォロアープレート７上に漏れ出したり、エアが混入するような不具合がなくなる。
また、下方に膨出するドラム缶底面Ｗｔの中央部分は、変形防止治具２０に最初に当接する部分であるが、変形防止治具２０のこの部分には円孔ｈが設けられていることにより、ドラム缶底面Ｗｔに対する応力集中が防止され、ドラム缶Ｗの寿命向上が図れるとともに、この円孔ｈによって、ロッド１１先端の閉塞部材１２の開閉動が阻害されることがなくなる。
【００２３】
尚、本発明は以上のような実施形態に限定されるものではない。本発明の戸居請求の範囲に記載した事項と実質的に同一の構成を有し、同一の作用効果を奏するものは本発明の技術的範囲に属する。
【００２４】
【発明の効果】
以上のように本発明は、収納容器の底面下方にセットされて容器の変形を防止するようにした変形防止治具において、収納容器の底面形状より僅かに小径の円板状部材からなる基板と、この基板より小径で且つ傾斜部を介して中央部が盛り上がる円錐台形板を一体化し、この円錐台形板の中央部に、円孔を形成するようにしたため、ペースト状物の未使用残留分を少なくすることが出来、無駄が抑制される。
また、円錐台形板の円孔により、ドラム缶の寿命の延命化が図られ、また、ペースト状物を取出す際の、閉塞部材等の開閉動の邪魔にならない。
そして、円錐台形板の径や傾斜部の傾斜角度を、収納容器の周縁部付近の底面と前記基板とが接触しないような径や角度に設定すれば、収納容器が傾くような不具合を確実に防止出来るようになる。
【図面の簡単な説明】
【図１】本発明の変形防止治具を適用した取出し・供給装置の正面図
【図２】図１の要部拡大図
【図３】変形防止治具の平面図
【図４】同変形防止治具の側面図
【図５】変形防止治具を円板にした場合の不具合を示す説明図
【図６】収納容器の変形を示す従来図
【符号の説明】
１…取出し・供給装置、７…フォロアープレート、２０…変形防止治具、２１…基板、２２…円錐台形板、ｈ…円孔、ｔ…傾斜部、Ｗ…ドラム缶。
【図１】
2004155429.tif 000003
【図２】
2004155429.tif 000004
【図３】
2004155429.tif 000005
【図４】
2004155429.tif 000006
【図５】
2004155429.tif 000007
【図６】
2004155429.tif 000008